(57)【特許請求の範囲】
【請求項１】
靴の前後方向に長手方向を向けて、アッパー部内側の底部上面に固定された底板と、    前記底板の後端からアッパー部の踵部の内面に沿って立ち上がるように当該底板と一体に連結されているとともに、幅方向中央部に、上下方向に細長い矩形状のスリット孔が形成された踵受け板と、
上端が、前記スリット孔の上端で踵受け板に連結されて、当該スリット孔内を前後方向に弾性変位可能に設けられ、下端部と上下方向の中央部分が、常時踵受け板から前方に所定量突出する弾性習性を有する上下方向に細長い係止舌片と、
前記底板の前端部上面に前端部が接合され、後端側が底板上面から反り上がる弾性習性を有するとともに、後端が踵受け板の前面に近接した位置でこれに沿って上下方向に変位可能に設けられて、靴の中敷きの下面を保持する中敷き保持板を備え、
靴の非着用時には、踵受け板はその弾性習性によって、後端が踵受け板の上端近傍に上昇した位置に保持され、
靴を着用する際に、足の踵で中敷きを踏んで中敷き保持板を押し下げると、中敷き保持板はその後端が係止舌片の下端に係合して底板上面に近接する位置で係止され、
靴を脱ぐ際は、靴底部後端を床面に打ち当て、足の踵で係止舌片の中央部分を押圧することにより、係止舌片下端と中敷き保持板後端間の係合が解除され、中敷き保持板の弾性習性によって中敷きの後方部分がアッパー部の踵部の上端近傍位置まで押し上げられることを特徴とする要介護者用靴。
【請求項２】
底板と中敷き保持板間に設けられて当該中敷き保持板の後端側を上方に付勢し、中敷き保持板の後端側が底板上面に接近するにしたがって付勢力が急減する特性を有する側面視略弓形の補助板バネを備えたことを特徴とする請求項１に記載の要介護者用靴。
【発明の詳細な説明】
【技術分野】
【０００１】
本発明は、要介護者が自力で容易に着脱できる要介護者用靴に関する。
【背景技術】
【０００２】
従来、介護度が要介護３から４以上で介護施設に入居している人の７０％から８０％は、自分で靴を履いたり脱いだりする動作を行うことが困難であり、介護者の介助を必要としている。
【０００３】
しかしながら、介護施設においては、介護者は、昼夜を問わずベッドを離れる要介護者の靴の脱ぎ履きを腰を屈めた姿勢で行っており、特に、夜間では一人の介護者が３０人前後を介護しているため、その動作が介護者の身体に多大な負担を与え、腰痛の原因となっている。
【０００４】
その結果、介護者は、介護の動作中に突然腰痛を発症して動けなくなったり、徐々に腰痛がひどくなって歩行さえ困難な状態に陥る場合があり、腰痛が回復するには日数を要するため、施設側や介護者ばかりでなく、要介護者にとっても重要な課題となっている。
【０００５】
一方、従来より、靴等の履物の着脱をひとりで行うことが困難な老人や幼児のために、種々の提案がなされており、例えば、特許文献１に記載されている着脱装置付靴は、靴体の内部に敷設した敷板の踵部に、ローラを有する滑動手段と、上方にバネ付勢される挙板部と、該挙板部を押し下げた位置で係止するとともに錘を有する振子板の揺動を利用して係止解除するロック手段からなる着脱ユニットを設けてあり、靴を履くときには、滑動手段のローラが使用者の足の踵を受けて回転することにより、容易に靴が履けるようになっている。
【０００６】
また、靴を脱ぐ場合には、靴を履いている足を左右に強く振ると、振子板が軸を中心に左右に揺動し、この振子板の揺動によってロック手段の係止が解除されることにより、上方にバネ付勢された挙板部が使用者の足の踵を強制的に持ち上げ、容易に踵から靴が脱げるようになっている。
【０００７】
また、特許文献２に記載されている靴は、靴踵部の内側に一端が取り付けられた板バネを備えており、前記板バネは、靴の不使用時には靴踵部から離れて靴の取付箇所に対して傾斜を保ち、靴の使用時には、足が靴の中に挿入されるにつれて当該板バネの付勢力に抗して靴踵部に接近するようになっている。
【０００８】
また、前記板バネは、上面にその縦方向へスライド自在なスライド部材を備えており、靴の不使用時には、スライド部材は板バネの上方に移動しており、また、靴の着用時において、足を靴の中に挿入する際には、足の踵に押されて板バネの上面に重なるようにスライドして足を靴の中に案内し、また、靴を脱ぐ際には、スライド部材は板バネの上方に移動するとともに、板バネはその付勢力によって傾斜して靴踵部から離れ、足の踵を押し上げるようになっている。
【先行技術文献】
【特許文献】
【０００９】
【特許文献１】特開平１４０７０５号公報
【特許文献２】特許第５１３９９６６号公報
【発明の概要】
【発明が解決しようとする課題】
【００１０】
前述した特許文献１に記載されている着脱装置付靴は、構造が複雑で部品点数が多いため、製造コストが高くなる問題があるとともに、靴体の踵部に、振子板の揺動を利用して挙板部の係止解除を行う複雑な構造のロック手段を組み込んでいるため、靴内部に砂や小石等の異物が侵入するとロック手段の機能に支障が生じる虞があった。
【００１１】
また、靴を脱ぐ場合に、靴を履いた足を左右に振って挙板部のロックを解除する構造であるため、歩行が困難な要介護者によっては、足を左右に振る動作によるロック解除が困難であったり、また、歩行中に靴の側面を何かにぶつけて振子板に衝撃が加わると、ロックが不用意に解除されてしまう虞もあった。
【００１２】
また、特許文献２に記載されている靴は、着用時に板バネやスライド部材を固定しておく構造を有していないため、歩行時等に足の踵が靴から浮き上がると、板バネの付勢力が作用して、靴が不用意に脱げてしまう虞があった。
【００１３】
そこで、本発明は、前述したような従来技術の問題点を解消し、歩行中に不用意に脱げてしまう虞が無く、要介護者が自力で靴の着脱動作を容易に行うことができるとともに、構造が簡単で製造コストを安くできる、安全で信頼性の高い要介護者用靴を提供することを目的とする。
【課題を解決するための手段】
【００１４】
前記目的のために提供される本発明の要介護者用靴は、靴の前後方向に長手方向を向けて、アッパー部内側の底部上面に固定された底板と、前記底板の後端からアッパー部の踵部の内面に沿って立ち上がるように当該底板と一体に連結されているとともに、幅方向中央部に、上下方向に細長い矩形状のスリット孔が形成された踵受け板と、上端が、前記スリット孔の上端で踵受け板に連結されて、当該スリット孔内を前後方向に弾性変位可能に設けられ、下端部と上下方向の中央部分が、常時踵受け板から前方に所定量突出する弾性習性を有する上下方向に細長い係止舌片と、前記底板の前端部上面に前端部が接合され、後端側が底板上面から反り上がる弾性習性を有するとともに、後端が踵受け板の前面に近接した位置でこれに沿って上下方向に変位可能に設けられて、靴の中敷きの下面を保持する中敷き保持板を備え、靴の非着用時には、踵受け板はその弾性習性によって、後端が踵受け板の上端近傍に上昇した位置に保持され、靴を着用する際に、足の踵で中敷きを踏んで中敷き保持板を押し下げると、中敷き保持板はその後端が係止舌片の下端に係合して底板上面に近接する位置で係止され、靴を脱ぐ際は、靴底部後端を床面に打ち当て、足の踵で係止舌片の中央部分を押圧することにより、係止舌片下端と中敷き保持板後端間の係合が解除され、中敷き保持板の弾性習性によって中敷きの後方部分がアッパー部の踵部の上端近傍位置まで押し上げられることを特徴としている。
【００１５】
本発明の要介護者用靴においては、底板と中敷き保持板間に設けられて当該中敷き保持板の後端側を上方に付勢し、中敷き保持板の後端側が底板上面に接近するにしたがって付勢力が急減する特性を有する側面視略弓形の板バネを備えていることが望ましい。
【発明の効果】
【００１６】
請求項１に記載された発明に係る要介護者用靴によれば、部品点数が少なく構造が簡単であるため、高い信頼性と耐久性が得られるとともに、製造コストを安く抑えることができる。
【００１７】
また、靴を履く際には、前傾して後端側が上がっている中敷き保持板によって、足を靴のアッパー部内に円滑に案内することができるため、介護者の手を煩わすことなく、要介護者は自力で簡単に靴を履くことができる。
【００１８】
そして、靴を使用している時は、中敷き保持板の後端が踵受け板に設けられた係止舌片の下端で確実に係止されているため、通常の歩行動作においては、中敷き保持板と係止舌片との係合が外れて靴が不用意に脱げてしまう虞はなく、安全に歩行することができる。
【００１９】
請求項２に記載された発明に係る要介護者用靴によれば、前述した請求項１の発明の効果に加えてさらに、中敷き保持板の後端側が底板上面に接近するにしたがって付勢力が急減する特性を有する側面視略弓形の補助板バネによって、中敷き保持板の弾性付勢力を補助しているため、中敷き保持板に板厚の薄いものを用いることができるとともに、靴を履く際に、足の爪先をアッパー部内に滑り込ませる途中で、中敷き保持板が足裏に押されて不用意に下がることがなく、足を容易にアッパー部内に挿入することができる。
【００２０】
また、中敷き保持板の後端が係止舌片との係合位置まで下がると、補助板バネは前後方向に伸展して付勢力が急減するため、係止舌片は小さな力で中敷き保持板を係止することができ、係止舌片の負担を軽減することができる。その結果、中敷き保持板と係止舌片間の係脱動作の反復による相互間の摩耗が低減され、耐久性を高めることができる。
【図面の簡単な説明】
【００２１】
【図１】本発明の要介護者用靴の１実施形態を示す、非着用時の縦断面図である。
【図２】本発明の要介護者用靴の１実施形態を示す、着用時の縦断面図である。
【図３】図２のＡ−Ａ断面図である。
【図４】本発明の要介護者用靴の１実施形態における、中敷き押上機構の分解斜視図である。
【図５】本発明の要介護者用靴の１実施形態における、非着用時の中敷き押上機構の斜視図である。
【図６】本発明の要介護者用靴の１実施形態における、着用時の中敷き押上機構の斜視図である。
【図７】本発明の要介護者用靴を着用する手順を説明する図である。
【図８】本発明の要介護者用靴を脱ぐ手順を説明する図である。
【発明を実施するための形態】
【００２２】
以下、本発明の要介護者用靴の１実施形態について、図面に基づいて説明する。
図１は、本発明の要介護者用靴（以下、単に靴ともいう。）の非着用時の縦断面図、図２は、着用時の縦断面図であって、これらの図に示すように、本実施形態における要介護者用靴１は、ゴム製の靴底部２と、その上に設けられたアッパー部３とを主要な構成部分として備えている。
【００２３】
アッパー部３は、図２に示すように、足Ｆの甲部や踵部と密着するように柔軟性に富む樹脂やゴム素材で底部３Ａと一体に成形されており、底部３Ａの下面は、靴底部２の上面に接着剤を用いて固定されている。
【００２４】
底部３Ａの上面には、後述する中敷き押上機構４が配置されており、この中敷き押上機構４によって、アッパー部３の内側に中敷き５が保持されている。図３は、図２のＡ−Ａ断面図であって、同図に示すように、中敷き押上機構４は、その長手方向を靴１の前後方向に向けて、アッパー部３の底部３Ａの幅方向の略中央部分に配置されている。なお、図３においては、中敷き５は図示を省略してある。
【００２５】
図４は、中敷き押上機構４の分解斜視図であって、同図に示すように、中敷き押上機構４は、下面がアッパー部３の底部３Ａの上面に接着剤によって固定される底板４Ａを有している。
【００２６】
前記底板４Ａの後端には、図１乃至図３に示すように、アッパー部３の踵部３Ｂの内面に沿って立ち上がる、踵受け板４Ｂが一体に連結されている。この踵受け板４Ｂは、踵部３Ｂ内面の湾曲した形状に沿って後方に膨らんだ、緩やかな曲面状に形成されている。
【００２７】
また、踵受け板４Ｂの上端の縁が足の踵等に直接当たって怪我をしないように、アッパー部３の踵部３Ｂの上端部には、内側に折返し部３Ｃを形成して踵受け板４Ｂの上端部を覆ってある。
【００２８】
図４に示すように、踵受け板４Ｂの幅方向中央部には、上下方向に細長い矩形状のスリット孔Ｓが形成されている。このスリット孔Ｓの内側には、上下方向に細長い、板バネ状の係止舌片４Ｃが設けられている。
【００２９】
前記係止舌片４Ｃは、その上端が当該スリット孔Ｓの上端で踵受け板４Ｂと一体に繋がっていて、弾性変形によりスリット孔Ｓ内を前後方向に揺動自在に設けられている。またこの係止舌片４Ｃは、その下端部と上下方向の中央部分が前方に張り出すように湾曲していて、これらの部分が常時踵受け板４Ｂから前方に所定量突出している弾性習性を有している。
【００３０】
なお、本実施形態のものにおいては、底板４Ａ、踵受け板４Ｂ、ならびに係止舌片４Ｃを板バネ用の単一のステンレス鋼板から一体に形成しており、係止舌片４Ｃには、柔軟に弾性変形できるように、その幅方向中央部分に上下方向に細長い、肉抜き孔ｈを設けてある。
【００３１】
また、中敷き押上機構４は、中敷き保持板４Ｄと補助板バネ４Ｅを有している。中敷き保持板４Ｄは、底板４Ａと略同一幅の板バネ用のステンレス鋼板で製作されていて、その前端部は下面側に折り返されて、所定長さの折返し部ａが形成されている。
【００３２】
図５に示すように、この折返し部ａは、その下面が底板４Ａの前端部上面４箇所でスポット溶接により底板４Ａと一体に接合されている。なお、中敷き保持板４Ｄと底板４Ａ間の接合には、スポット溶接に代えてリベット接合等の他の接合手段を用いてもよい。
【００３３】
また、この折返し部ａを形成する代わりに、底板４Ａの前端部上面と中敷き保持板４Ｄの前端部下面との間に、折返し部ａと同様な大きさの矩形板をスペーサとして挟み込んで、底板４Ａと中敷き保持板４Ｄとを接合するようにしてもよい。
【００３４】
中敷き保持板４Ｄは、その後端側が底板４Ａの上面に対して反り上がる弾性習性を有して、後端が踵受け板４Ｂの前面に近接した位置で、これに沿って上下方向に変位できるように設けられている。
【００３５】
また、補助板バネ４Ｅは、その長手方向中央部分が下方に側面視略弓形に湾曲するように形成されていて、その後端部は、中敷き保持板４Ｄの下面後端近傍の幅方向中央部に中敷き保持板４Ｄと長手方向に向きを揃えてスポット溶接により固定されている。
なお、中敷き保持板４Ｅへの補助板バネ４Ｅの固定手段は、スポット溶接に代えてリベット接合等周知の固定手段を用いてもよい。
【００３６】
また、補助板バネ４Ｅの前端は自由端となっていて、中敷き保持板４Ｄの下面に沿って前後方向に滑動変位可能になっている。補助板バネ４Ｅには、大きな撓み変形が可能なバネ用鋼材が用いられており、中敷き保持板４Ｄよりも板厚が薄く形成されている。
【００３７】
図１及び図２に示すように、中敷き５は上部中敷き５Ａと下部中敷き５Ｂの上下２層で構成されていて、このうち上部中敷き５Ａは、薄くて柔軟に屈曲する合成皮革や樹脂素材で製作されており、洗浄や交換のために靴１から取り外し可能になっている。
【００３８】
一方、下部中敷き５Ｂは、ウレタンゴムのような柔軟で弾力性の富む厚手の素材で形成されており、中敷き保持板４Ｄの上面に接着剤等によって固定されていて、その爪先側部分は、アッパー部３の前端部内面と中敷き保持板４Ｄの前端部との間の隙間を段差が生じないように覆っている。
【００３９】
前述したように構成されている要介護者用靴１を着用した時には、図２に示すように、足Ｆの踵から中敷き５を介して作用する荷重で、中敷き押上機構４の中敷き保持板４Ｄの後端側は、それ自体の弾性と補助板バネ４Ｅの弾性が合わさった上向きの付勢力に抗して下方位置に押し下げられている。
【００４０】
この状態では、図２及び図６に示すように、中敷き保持板４Ｄの後端は、係止舌片４Ｃの下端の下方に位置しており、係止舌片４Ｃの下端は中敷き保持板４Ｄの上面後端部に係合して中敷き保持板４Ｄの上方へ移動を阻止している。
【００４１】
なお、図２に示すように、中敷き５を構成する上部中敷き５Ａと下部中敷き５Ｂのそれぞれの後端は、中敷き保持板４Ｄの後端より若干前方に位置させて、係止舌片４Ｃが係合する中敷き保持板４Ｄの後端部上面を露出させ、係止舌片４Ｃの下端と接触しないようにしてある。
【００４２】
次に、前述したように構成されている要介護者用靴１を着用する手順を図７に基づいて説明する。靴１を着用する場合には、同図（Ａ）に示すように、中敷き５の後端が上がっている位置にある靴１を水平な床面Ｇ等に置いて、中敷き５の上面に沿ってアッパー部３の中に足Ｆを爪先側から滑り込ませ、同図（Ｂ）に示すように、足裏全体を中敷き５の上に載せる。
【００４３】
この過程では、中敷き保持板４Ｄの下方に配置されている補助板バネ４Ｅは、弓形に湾曲した形状で中敷き保持板４Ｄを下から支えているため、多少大きな荷重が作用しても弾性変形し難く、中敷き５は前傾した姿勢で保持されているため、足Ｆの挿入を容易に行うことができる。
【００４４】
次に、同図（Ｃ）に示すように、足Ｆの踵に体重をかけて踏み込み、補助板バネ４Ｅに作用する荷重が所定の大きさを超えると撓み変形を生じ、中敷き保持板４Ｄの後端側は中敷き５とともに下方へ変位する。この際、補助板バネ４Ｅの付勢力は、中敷き保持板４Ｄの後端側が底板４Ａの上面に接近するにしたがって急速に減少するとともに、その前端が中敷き保持板４Ｄの下面に案内されて前方に伸展していく。
【００４５】
この際、中敷き保持板４Ｄの下面と底板４Ａの上面間には、前述したように、中敷き保持板４Ｄの前端部に折返し部ａ（図４参照）を設けていることで、補助板バネ４Ｅの厚み以上の隙間が確保されているため、補助板バネ４Ｅは支障無く伸展動作を行うことができる。
【００４６】
中敷き保持板４Ｄの後端はさらに、踵受け板４Ｂに設けられている係止舌片４Ｃの下端部前面を滑りながら当該係止舌片４Ｃをその弾性付勢力に抗して後退させて、同図（Ｄ）に示すように、係止舌片４Ｃの下端を越えてその下方まで移動する。
【００４７】
そうすると、係合体４Ｃはその弾性によって前進復帰して、中敷き保持板４Ｄを底板４Ａの上面に近接する位置で係止する。この状態で足Ｆはアッパー部３内に完全に保持されるので、一般の靴と同様な通常の歩行動作が可能となる。
【００４８】
次に、要介護者用靴１を脱ぐ手順を図８に基づいて説明する。
靴１を脱ぐ場合には、同図（Ａ）に示すように、爪先側を上に向けて靴底部２の後端を床面Ｇ等に軽く打ち当てる。
【００４９】
そうすると、踵受け板４Ｂから前方に突出している係止舌片４Ｃの上下方向の中央部分ｂが、足Ｆの踵に押されるので、当該係止舌片４Ｃの下端はその弾性付勢力に抗して後退して、中敷き保持板４Ｄの後端上面との係合が外れる。
【００５０】
中敷き保持板４Ｄは、それ自体が後端側が上方に反り返る弾性習性を有しているとともに、その下方に組み込まれている補助板バネ４Ｅによって、常時上方に付勢されているため、係止舌片４Ｃとの係合が外れると、同図（Ｂ）のように、中敷き保持板４Ｄの後端側は、中敷き５を伴って上方に変位し、足Ｆの踵側がアッパー部３から押し出される。
【００５１】
そこで、靴底部２全体を床面Ｇに着けて足Ｆの爪先側をアッパー部３から後方に抜き出すことで、靴１を容易に脱ぐことができる。この際、中敷き保持板４Ｄの後端側が上方に変位するにつれて、補助板バネ４Ｅはその弾性によって側面視弓形に復元してその付勢力が大きくなるため、足Ｆを抜き出す際に、中敷き保持板４Ｄの後端側が不用意に下がってしまうことがない。
【００５２】
なお、本実施形態のものにおいては、底板４Ａと中敷き保持板４Ｄとの間に、補助板バネ４Ｅを組み込んで中敷き押上機構を構成しているが、中敷き保持板４Ｄ自体の弾性付勢力が大きい場合には、靴１の着脱動作は、補助板バネ４Ｅを設けなくても可能である。
この場合には、中敷き保持板４Ｄの前端部には、折返し部ａ（図１または図４参照）を形成しないで直接底板４Ａの上面に接合することができる。
【００５３】
また、ここでは、補助板バネ４Ｅは、長手方向の中央部分が下方に側面視略弓形に湾曲した形状で、その後端部を中敷き保持板４Ｄの下面に固定したものを用いているが、これに限定するものではなく、補助板バネは、その長手方向の中央部分が上方に側面視略弓形に湾曲する形状で、湾曲部分を中敷き保持板の下面に当接して付勢し、後端部を底板上面に固定したものを用いることも可能である。
【００５４】
また、前述した実施形態のものにおいては、靴底部２とアッパー部３の底部３Ａとは、別材料で製作しているが、アッパー部に底部を設けずに、底部は靴底部と一体化してもよい。
【００５５】
また、中敷き５を、着脱可能な上部中敷き５Ａと、中敷き保持板４Ｄの上面に固定された下部中敷き５Ｂの２つを重ねて構成しているが、本発明の要介護者用靴は、中敷きの構造はこれに限定するものではなく、少なくとも中敷き保持板上面に保持され、足裏全体を受けることができるものであればよい。
【００５６】
さらに、足の踵と直接触れる係止舌片４Ｃの前面には、中敷き保持板４Ｄの後端と接触する下端近傍部分を除き、静電植毛等の手段を用いてポリアミド等の柔軟な短繊維で被覆したり、滑性のある樹脂を被覆するようにしてもよい。
【産業上の利用可能性】
【００５７】
本発明の要介護者用靴は、靴の脱ぎ履きに介助者を必要とする高齢者等を多数収容している施設や病院で特に有用であり、また、高齢者等の要介護者がいる一般家庭においても利用可能である。
【符号の説明】
【００５８】
１                      要介護者用靴
２                      靴底部
３                      アッパー部
３Ａ                    底部
３Ｂ                    踵部
３Ｃ                    折返し部
４                      中敷き押上機構
４Ａ                    底板
４Ｂ                    踵受け板
４Ｃ                    係止舌片
４Ｄ                    中敷き保持板
４Ｅ                    補助板バネ
５                      中敷き
５Ａ                    上部中敷き
５Ｂ                    下部中敷き
ａ                      折返し部
ｂ                      係止舌片の中央部分
Ｆ                      足
Ｇ                      床面
ｈ                      肉抜き孔  
Ｓ                      スリット孔
【要約】
【課題】  歩行中に不用意に脱げてしまう虞が無く、要介護者が自力で靴の着脱動作を容易に行うことができるとともに、構造が簡単で製造コストを安くできる、安全で信頼性の高い要介護者用靴を提供する。
【解決手段】  要介護者用靴１は、着用する際に、足の踵で中敷き５を踏んで中敷き保持板４Ｄの後端側をその弾性付勢力に抗して押し下げると、中敷き保持板の後端は、係止舌片４Ｃの下端に係合して底板４Ａの上面に近接する位置で係止される。靴を脱ぐ際は、靴底部２の後端を床面等に打ち当てて足の踵で係止舌片の中央部分を押圧すると、係止舌片の下端と中敷き保持板の後端間の係合が解除され、中敷き保持板はその弾性習性によって後方部分がアッパー部３の踵部３Ｂの上端近傍位置まで反り上がり、足を靴から容易に抜き出すことができる。
【選択図】  図１【図１】
0005392939.tif 000002
【図２】
0005392939.tif 000003
【図３】
0005392939.tif 000004
【図４】
0005392939.tif 000005
【図５】
0005392939.tif 000006
【図６】
0005392939.tif 000007
【図７】
0005392939.tif 000008
【図８】
0005392939.tif 000009